【手続補正書】
【提出日】平成26年6月27日(2014.6.27)
【手続補正１】
【補正対象書類名】特許請求の範囲
【補正対象項目名】全文
【補正方法】変更
【補正の内容】
【特許請求の範囲】
【請求項１】
原画像のデータの画調を変換して変換画調データを得る第１変換部と、
前記原画像のデータから、当該原画像の特徴領域を検出する特徴領域検出部と、
前記第１変換部による変換後の前記変換画調データをさらに変換する画像処理として、前記特徴領域検出部により検出された前記特徴領域をぼかすぼかし処理を実行する第２変換部と、
を備えたことを特徴とする画像処理装置。
【請求項２】
原画像のデータの画調を変換して変換画調データを得る第１変換部と、
前記原画像のデータから、当該原画像の特徴領域を検出する特徴領域検出部と、
前記第１変換部による変換後の前記変換画調データをさらに変換する画像処理として、前記変換画調データに対して余白領域の付加を設定する余白設定処理とを実行する第２変換部と、
を備えたことを特徴とする画像処理装置。
【請求項３】
前記画調を変換した変換画調データは、水墨画調画像のデータであることを特徴とする請求項１または２記載の画像処理装置。
【請求項４】
原画像のデータを取得する原画像取得手段と、
前記原画像取得手段により取得された原画像のデータから、水墨画調画像のデータに変換する第１変換手段と、
前記原画像取得手段により取得された原画像のデータから、当該原画像の特徴領域を検出する特徴領域検出手段と、
前記原画像取得手段により取得された原画像のデータから、当該原画像の重要度の情報を算出する重要度情報算出手段と、
前記第１変換手段による変換後の前記水墨画調画像のデータをさらに変換する画像処理として、前記重要度情報算出手段により算出された重要度の情報に基づいて、前記特徴領域検出手段により検出された前記特徴領域をぼかすぼかし処理と、前記水墨画調画像に対して余白領域の付加を設定する余白設定処理とを実行する第２変換手段と、
を備えたことを特徴とする画像処理装置。
【請求項５】
前記重要度情報算出手段は、
前記原画像を構成する画素毎に重要度を算出する重要度算出手段と、
前記重要度算出手段により算出された前記各画素の重要度に基づいて、前記原画像の重要度重心を算出する重要度重心算出手段と、
を有し、
前記第２変換手段は、前記重要度重心算出手段により算出された前記重要度重心に基づいて前記水墨画調画像のデータを変換する前記画像処理を実行する、
ことを特徴とする請求項４に記載の画像処理装置。
【請求項６】
前記第２変換手段は、
前記特徴領域検出手段により検出された前記特徴領域及び当該特徴領域内の１以上の領域内のオブジェクトを処理対象として、前記重要度重心算出手段により算出された前記重要度重心に基づいて前記ぼかし処理を実行するぼかし手段を有する、
ことを特徴とする請求項５に記載の画像処理装置。
【請求項７】
前記第２変換手段は、
前記重要度重心算出手段により算出された前記重要度重心の位置比率を算出する重要度重心位置比率算出手段と、
前記重要度重心位置比率算出手段により算出された前記重要度重心の位置比率に基づいて、背景画像の重心位置比率を算出する背景画像位置比率算出手段と、
を備え、
前記重要度重心位置比率算出手段により算出された前記重要度重心の位置比率と、前記背景画像位置比率算出手段により算出された前記背景画像の重心の位置比率と、に基づいて、前記背景画像のデータに対して前記水墨画調画像のデータを合成することで、前記水墨画調画像に対して前記余白領域の付加を設定する、
ことを特徴とする請求項５に記載の画像処理装置。
【請求項８】
前記重要度情報算出手段は、
前記重要度算出手段により画素毎に算出された前記重要度に基づいて重要度領域を算出する重要度領域算出手段をさらに備え、
前記ぼかし手段は、
前記重要度領域算出手段により算出された重要度領域内における各画素の重要度と、前記各画素と前記重要度重心算出手段により算出された重要度重心との距離と、に基づいて各画素におけるぼかし量を算出することを特徴とする請求項５に記載の画像処理装置。
【請求項９】
前記ぼかし手段は、
前記重要度領域算出手段により算出された重要度領域が複数ある場合には、前記重要度領域算出手段により算出された複数の重要度領域を統合重要度領域として統合する重要度領域統合手段をさらに備え、
前記統合重要度領域のうち、
前記重要度領域内においては、重要度領域内における各画素の重要度と、前記各画素と前記重要度重心算出手段により算出された重要度重心との距離と、に基づいて各画素におけるぼかし量を算出し、
前記重要度領域外においては、統合重要度領域内における各画素の重要度と、前記各画素と前記重要度重心算出手段により算出された重要度重心との距離と、前記重要度重心と前記統合重要度領域の縁の方向と、に基づいて各画素におけるぼかし量を算出することを特徴とする請求項８に記載の画像処理装置。
【請求項１０】
前記第２変換手段は、
前記水墨画調画像のデータを複数の領域に分割する画像領域分割手段をさらに備え、
前記画像領域分割手段により分割された領域のうち、前記重要度算出手段により算出された重要度が高い画素を含む領域が前記水墨画調画像の端に接している場合には、当該領域の端には余白領域の付加を行わないことを特徴とする請求項７に記載の画像処理装置。
【請求項１１】
原画像に対して画像処理を施す画像処理装置が実行する画像処理方法であって、
前記原画像のデータの画調を変換して変換画調データを得る第１変換ステップと、
前記原画像のデータから、当該原画像の特徴領域を検出する特徴領域検出ステップと、
前記第１変換ステップによる変換後の前記変換画調データをさらに変換する画像処理として、前記特徴領域検出ステップにより検出された前記特徴領域をぼかすぼかし処理を実行する第２変換ステップと、
を含むことを特徴とする画像処理方法。
【請求項１２】
原画像に対して画像処理を施す画像処理装置を制御するコンピュータを、
前記原画像のデータの画調を変換して変換画調データを得る第１変換手段、
前記原画像のデータから、当該原画像の特徴領域を検出する特徴領域検出手段、
前記第１変換手段による変換後の前記変換画調データをさらに変換する画像処理として、前記特徴領域検出手段により検出された前記特徴領域をぼかすぼかし処理と前記変換画調データに対して余白領域の付加を設定する余白設定処理とを実行する第２変換手段、
として機能させるプログラム。
【手続補正２】
【補正対象書類名】明細書
【補正対象項目名】０００６
【補正方法】変更
【補正の内容】
【０００６】
請求項１記載の発明は、原画像のデータの画調を変換して変換画調データを得る第１変換部と、前記原画像のデータから、当該原画像の特徴領域を検出する特徴領域検出部と、前記第１変換部による変換後の前記変換画調データをさらに変換する画像処理として、前記特徴領域検出部により検出された前記特徴領域をぼかすぼかし処理を実行する第２変換部と、を備えたことを特徴とする画像処理装置を提供するものである。
請求項２記載の発明は、原画像のデータの画調を変換して変換画調データを得る第１変換部と、前記原画像のデータから、当該原画像の特徴領域を検出する特徴領域検出部と、前記第１変換部による変換後の前記変換画調データをさらに変換する画像処理として、前記変換画調データに対して余白領域の付加を設定する余白設定処理とを実行する第２変換部と、を備えたことを特徴とする画像処理装置を提供するものである。
請求項４記載の発明は、原画像のデータを取得する原画像取得手段と、前記原画像取得手段により取得された原画像のデータから、水墨画調画像のデータに変換する第１変換手段と、前記原画像取得手段により取得された原画像のデータから、当該原画像の特徴領域を検出する特徴領域検出手段と、前記原画像取得手段により取得された原画像のデータから、当該原画像の重要度の情報を算出する重要度情報算出手段と、前記第１変換手段による変換後の前記水墨画調画像のデータをさらに変換する画像処理として、前記重要度情報算出手段により算出された重要度の情報に基づいて、前記特徴領域検出手段により検出された前記特徴領域をぼかすぼかし処理と、前記水墨画調画像に対して余白領域の付加を設定する余白設定処理とを実行する第２変換手段と、を備えたことを特徴とする画像処理装置を提供するものである。
請求項１１記載の発明は、原画像に対して画像処理を施す画像処理装置が実行する画像処理方法であって、前記原画像のデータの画調を変換して変換画調データを得る第１変換ステップと、前記原画像のデータから、当該原画像の特徴領域を検出する特徴領域検出ステップと、前記第１変換ステップによる変換後の前記変換画調データをさらに変換する画像処理として、前記特徴領域検出ステップにより検出された前記特徴領域をぼかすぼかし処理を実行する第２変換ステップと、を含むことを特徴とする画像処理方法を提供するものである。
請求項１２記載の発明は、原画像に対して画像処理を施す画像処理装置を制御するコンピュータを、前記原画像のデータの画調を変換して変換画調データを得る第１変換手段、前記原画像のデータから、当該原画像の特徴領域を検出する特徴領域検出手段、前記第１変換手段による変換後の前記変換画調データをさらに変換する画像処理として、前記特徴領域検出手段により検出された前記特徴領域をぼかすぼかし処理と前記変換画調データに対して余白領域の付加を設定する余白設定処理とを実行する第２変換手段、として機能させるプログラムを提供するものである。